(57)【要約】【課題】本発明は、例えばコンビニエンスストアにおけるプリントシステムに適用して、従来に比して簡易な構成により、簡易かつ確実に料金を徴収し、かつＰＯＳシステムによる管理を容易とする。【解決手段】本発明は、プリンタで印刷の内容を受け付け、キャッシュレジスタからの印刷開始の指示により、印刷を実行する。【選択図】        図１
2008262252.tif 000002
【特許請求の範囲】
【請求項１】
プリンタとキャッシュレジスタとによるプリントシステムであって、
前記プリンタは、
記録媒体を装着するスロットと、
所望の画像を表示するプリンタの表示部と、
ユーザーの操作を入力するプリンタの入力部と、
前記キャッシュレジスタとの間で種々のデータを送受するプリンタのデータ通信部と、
前記スロットに装着された前記記録媒体に記録された静止画像を印刷する印刷部とを備え、
前記記録媒体に記録された画像を前記プリンタの表示部で表示し、前記プリンタの入力部により印刷対象、印刷枚数、印刷サイズの入力を受け付け、
前記プリンタのデータ通信部を介した前記キャッシュレジスタからの印刷の指示により、前記プリンタの入力部で入力を受け付けた印刷対象、印刷枚数、印刷サイズによる印刷を前記印刷部で開始し、
前記キャッシュレジスタは、
前記プリンタの入力部で受け付けた印刷枚数、印刷サイズによる印刷に要する料金を表示するキャッシュレジスタの表示部と、
店員の操作を入力するキャッシュレジスタの入力部と、
前記プリンタとの間で種々のデータを送受するキャッシュレジスタのデータ通信部とを備え、
前記キャッシュレジスタの入力部による入力により、前記プリンタの入力部で受け付けた印刷枚数、印刷サイズによる印刷に要する料金の精算を受け付け、
前記印刷に要する料金が精算されると、前記キャッシュレジスタのデータ通信部により前記プリンタに印刷を指示する
ことを特徴とするプリントシステム。
【請求項２】
前記プリンタは、
前記印刷部が、前記スロット、前記プリンタの表示部、前記プリンタの入力部、前記プリンタのデータ通信部と別体に設けられた
ことを特徴とする請求項１に記載のプリントシステム。
【請求項３】
前記プリンタは、
前記印刷に要する料金を計算して前記プリンタの表示部で表示すると共に、前記キャッシュレジスタによる前記印刷に要する料金の精算をユーザーに指示し、前記プリンタのデータ通信部により前記プリンタの入力部で入力を受け付けた印刷枚数、印刷サイズ、前記印刷に要する料金を前記キャッシュレジスタに通知し、
前記キャッシュレジスタは、
前記キャッシュレジスタのデータ通信部を介して前記プリンタから入力される前記印刷枚数、印刷サイズ、前記印刷に要する料金を前記キャッシュレジスタの表示部で表示する
ことを特徴とする請求項１に記載のプリントシステム。
【請求項４】
前記キャッシュレジスタは、
前記プリンタから通知された前記印刷枚数、印刷サイズ、前記印刷に要する料金を、ＰＯＳサーバーに通知する
ことを特徴とする請求項３に記載のプリントシステム。
【請求項５】
前記プリンタは、
前記印刷部で印刷に要した料金を計算して前記プリンタのデータ通信部により前記キャッシュレジスタに通知し、
前記キャッシュレジスタは、
前記印刷に要する料金と、前記印刷に要した料金とで差額が発生している場合には、前記キャッシュレジスタの入力部の操作により、前記差額の精算を受け付ける
ことを特徴とする請求項３に記載のプリントシステム。
【請求項６】
前記プリンタは、
前記印刷部で印刷に要した料金と共に、前記印刷部で印刷した印刷枚数、印刷サイズを前記プリンタのデータ通信部により前記キャッシュレジスタに通知し、
前記キャッシュレジスタは、
前記プリンタから通知された前記印刷部で印刷した印刷枚数、印刷サイズ、前記印刷に要した料金を、ＰＯＳサーバーに通知する
ことを特徴とする請求項５に記載のプリントシステム。
【請求項７】
前記キャッシュレジスタは、
前記キャッシュレジスタのデータ通信部により、少なくとも前記プリンタに前記印刷の単価の変更を通知し、
前記プリンタは、
前記キャッシュレジスタからの通知に基づいて、前記印刷に要する料金を計算する
ことを特徴とする請求項２に記載のプリントシステム。
【請求項８】
キャッシュレジスタと共にプリントシステムを形成するプリンタであって、
記録媒体を装着するスロットと、
所望の画像を表示する表示部と、
ユーザーの操作を入力する入力部と、
前記キャッシュレジスタとの間で種々のデータを送受するデータ通信部と、
前記スロットに装着された前記記録媒体に記録された静止画像を印刷する印刷部とを備え、
前記記録媒体に記録された画像を前記プリンタの表示部で表示し、前記入力部により印刷対象、印刷枚数、印刷サイズの入力を受け付け、
前記データ通信部を介した前記キャッシュレジスタからの印刷の指示により、前記入力部で入力を受け付けた印刷対象、印刷枚数、印刷サイズによる印刷を前記印刷部で開始する
ことを特徴とするプリンタ。
【請求項９】
キャッシュレジスタと共にプリントシステムを形成するプリンタの制御方法であって、
前記プリンタは、
記録媒体を装着するスロットと、
所望の画像を表示する表示部と、
ユーザーの操作を入力する入力部と、
前記キャッシュレジスタとの間で種々のデータを送受するデータ通信部と、
前記スロットに装着された前記記録媒体に記録された静止画像を印刷する印刷部とを備え、
前記制御方法は、
前記記録媒体に記録された画像を前記表示部で表示し、前記入力部により印刷対象、印刷枚数、印刷サイズの入力を受け付ける入力受け付けのステップと、
前記データ通信部を介した前記キャッシュレジスタからの印刷の指示により、前記入力受け付けのステップで入力を受け付けた印刷対象、印刷枚数、印刷サイズによる印刷を前記印刷部で実行する印刷のステップとを有する
ことを特徴とするプリンタの制御方法。
【請求項１０】
キャッシュレジスタと共にプリントシステムを形成するプリンタの制御方法のプログラムであって、
前記プリンタは、
記録媒体を装着するスロットと、
所望の画像を表示する表示部と、
ユーザーの操作を入力する入力部と、
前記キャッシュレジスタとの間で種々のデータを送受するデータ通信部と、
前記スロットに装着された前記記録媒体に記録された静止画像を印刷する印刷部とを備え、
前記制御方法のプログラムは、
前記記録媒体に記録された画像を前記表示部で表示し、前記入力部により印刷対象、印刷枚数、印刷サイズの入力を受け付ける入力受け付けのステップと、
前記データ通信部を介した前記キャッシュレジスタからの印刷の指示により、前記入力受け付けのステップで入力を受け付けた印刷対象、印刷枚数、印刷サイズによる印刷を前記印刷部で実行する印刷のステップとを有する
ことを特徴とするプリンタの制御方法のプログラム。
【請求項１１】
キャッシュレジスタと共にプリントシステムを形成するプリンタの制御方法のプログラムを記録した記録媒体であって、
前記プリンタは、
記録媒体を装着するスロットと、
所望の画像を表示する表示部と、
ユーザーの操作を入力する入力部と、
前記キャッシュレジスタとの間で種々のデータを送受するデータ通信部と、
前記スロットに装着された前記記録媒体に記録された静止画像を印刷する印刷部とを備え、
前記制御方法のプログラムは、
前記記録媒体に記録された画像を前記表示部で表示し、前記入力部により印刷対象、印刷枚数、印刷サイズの入力を受け付ける入力受け付けのステップと、
前記データ通信部を介した前記キャッシュレジスタからの印刷の指示により、前記入力受け付けのステップで入力を受け付けた印刷対象、印刷枚数、印刷サイズによる印刷を前記印刷部で実行する印刷のステップとを有する
ことを特徴とするプリンタの制御方法のプログラムを記録した記録媒体。
【請求項１２】
プリンタと共にプリントシステムを形成するキャッシュレジスタであって、
前記プリンタの入力部で受け付けた印刷枚数、印刷サイズによる印刷に要する料金を表示する表示部と、
店員の操作を入力する入力部と、
前記プリンタとの間で種々のデータを送受するデータ通信部とを備え、
前記入力部による入力により、前記プリンタで入力を受け付けた印刷枚数、印刷サイズによる印刷に要する料金の精算を受け付け、
前記印刷に要する料金が精算されると、前記データ通信部により前記プリンタに前記印刷枚数、印刷サイズによる印刷を指示する
ことを特徴とするキャッシュレジスタ。
【請求項１３】
プリンタと共にプリントシステムを形成するキャッシュレジスタの制御方法であって、
前記キャッシュレジスタは、
前記プリンタの入力部で受け付けた印刷枚数、印刷サイズによる印刷に要する料金を表示する表示部と、
店員の操作を入力する入力部と、
前記プリンタとの間で種々のデータを送受するデータ通信部とを備え、
前記制御方法は、
前記入力部による入力により、前記プリンタで入力を受け付けた印刷枚数、印刷サイズによる印刷に要する料金の精算を受け付ける精算のステップと、
前記精算のステップにより前記印刷に要する料金が精算されると、前記データ通信部により前記プリンタに前記印刷枚数、印刷サイズによる印刷を指示する印刷指示のステップとを有する
ことを特徴とするプリントシステムの制御方法。
【請求項１４】
プリンタと共にプリントシステムを形成するキャッシュレジスタの制御方法のプログラムであって、
前記キャッシュレジスタは、
前記プリンタの入力部で受け付けた印刷枚数、印刷サイズによる印刷に要する料金を表示する表示部と、
店員の操作を入力する入力部と、
前記プリンタとの間で種々のデータを送受するデータ通信部とを備え、
前記制御方法のプログラムは、
前記入力部による入力により、前記プリンタで入力を受け付けた印刷枚数、印刷サイズによる印刷に要する料金の精算を受け付ける精算のステップと、
前記精算のステップにより前記印刷に要する料金が精算されると、前記データ通信部により前記プリンタに前記印刷枚数、印刷サイズによる印刷を指示する印刷指示のステップとを有する
ことを特徴とするプリントシステムの制御方法のプログラム。
【請求項１５】
プリンタと共にプリントシステムを形成するキャッシュレジスタの制御方法のプログラムを記録した記録媒体であって、
前記キャッシュレジスタは、
前記プリンタの入力部で受け付けた印刷枚数、印刷サイズによる印刷に要する料金を表示する表示部と、
店員の操作を入力する入力部と、
前記プリンタとの間で種々のデータを送受するデータ通信部とを備え、
前記制御方法のプログラムは、
前記入力部による入力により、前記プリンタで入力を受け付けた印刷枚数、印刷サイズによる印刷に要する料金の精算を受け付ける精算のステップと、
前記精算のステップにより前記印刷に要する料金が精算されると、前記データ通信部により前記プリンタに前記印刷枚数、印刷サイズによる印刷を指示する印刷指示のステップとを有する
ことを特徴とするプリントシステムの制御方法のプログラムを記録した記録媒体。
【発明の詳細な説明】
【技術分野】
【０００１】
本発明は、例えばコンビニエンスストアにおけるプリントシステムに適用して、プリンタで印刷の内容を受け付け、キャッシュレジスタからの印刷開始の指示により、印刷を実行することにより、従来に比して簡易な構成により、簡易かつ確実に料金を徴収し、かつＰＯＳシステムによる管理を容易とする。
【背景技術】
【０００２】
従来、ＤＰＥ店、コンビニエンスストア等には、電子スチルカメラで撮影した静止画像を印刷する端末装置によるプリントシステムが設けられている。ここでこのプリントシステムの端末装置では、記録媒体を装着すると、この記録媒体に記録された静止画像がこの端末装置でサムネイル画像により一覧表示され、印刷対象、印刷枚数、印刷サイズ等の入力が受け付けられ、静止画像が印刷される。
【０００３】
このようなプリントシステムでは、装置自体に料金を精算する構成が設けられたものがあり、このような端末装置では、ユーザーの料金の支払により印刷を開始する。これに対してレジによる先払い方式のプリントシステム、レジによる後払い方式のプリントシステムもあり、後払い方式のプリントシステムでは、静止画像の印刷時、別途、端末装置で所定の用紙に料金を印刷し、静止画像の印刷終了後に、この用紙に印刷された料金をレジで精算する。また先払い方式によるプリントシステムでは、静止画像の印刷開始前に、端末装置で所定の用紙に料金を印刷し、レジでこの料金を精算すると、店員によるパスワードの入力等により静止画像の印刷を開始する。ここで例えば特開平９−２８４５４４号公報には、この後払い方式に関する工夫が提案されている。
【０００４】
しかしながら装置自体に料金を精算する構成を設ける場合には、端末装置の構成が複雑になる問題があり、また装置内に金銭が保持されることにより、セキュリティーの面で望ましくない問題がある。またこの種の端末装置が設置される店舗のＰＯＳ（Point Of System ）により管理可能に、ＰＯＳサーバーに売り上げ等の情報を別途手作業により入力することが必要になり、これにより管理が複雑な問題がある。
【０００５】
これに対してレジによる後払い方式の場合、端末装置に料金の印刷機構を設けることが必要になり、構成が複雑になる問題がある。また確実に料金を徴収できない問題がある。またレジによる先払いによる方式の場合、端末装置に料金の印刷機構を設けることが必要になり、構成が複雑になる問題があり、また店員によるパスワードの入力等が煩雑な問題もある。
【特許文献１】特開平９−２８４５４４号公報
【発明の開示】
【発明が解決しようとする課題】
【０００６】
本発明は以上の点を考慮してなされたもので、従来に比して簡易な構成により、簡易かつ確実に料金を徴収し、かつＰＯＳシステムによる管理の容易なプリントシステム等を提案しようとするものである。
【課題を解決するための手段】
【０００７】
上記の課題を解決するため請求項１の発明は、プリンタとキャッシュレジスタとによるプリントシステムに適用して、前記プリンタは、記録媒体を装着するスロットと、所望の画像を表示するプリンタの表示部と、ユーザーの操作を入力するプリンタの入力部と、前記キャッシュレジスタとの間で種々のデータを送受するプリンタのデータ通信部と、前記スロットに装着された前記記録媒体に記録された静止画像を印刷する印刷部とを備え、前記記録媒体に記録された画像を前記プリンタの表示部で表示し、前記プリンタの入力部により印刷対象、印刷枚数、印刷サイズの入力を受け付け、前記プリンタのデータ通信部を介した前記キャッシュレジスタからの印刷の指示により、前記プリンタの入力部で入力を受け付けた印刷対象、印刷枚数、印刷サイズによる印刷を前記印刷部で開始し、前記キャッシュレジスタは、前記プリンタの入力部で受け付けた印刷枚数、印刷サイズによる印刷に要する料金を表示するキャッシュレジスタの表示部と、店員の操作を入力するキャッシュレジスタの入力部と、前記プリンタとの間で種々のデータを送受するキャッシュレジスタのデータ通信部とを備え、前記キャッシュレジスタの入力部による入力により、前記プリンタの入力部で受け付けた印刷枚数、印刷サイズによる印刷に要する料金の精算を受け付け、前記印刷に要する料金が精算されると、前記キャッシュレジスタのデータ通信部により前記プリンタに印刷を指示する。
【０００８】
また請求項８の発明は、キャッシュレジスタと共にプリントシステムを形成するプリンタに適用して、記録媒体を装着するスロットと、所望の画像を表示する表示部と、ユーザーの操作を入力する入力部と、前記キャッシュレジスタとの間で種々のデータを送受するデータ通信部と、前記スロットに装着された前記記録媒体に記録された静止画像を印刷する印刷部とを備え、前記記録媒体に記録された画像を前記プリンタの表示部で表示し、前記入力部により印刷対象、印刷枚数、印刷サイズの入力を受け付け、前記データ通信部を介した前記キャッシュレジスタからの印刷の指示により、前記入力部で入力を受け付けた印刷対象、印刷枚数、印刷サイズによる印刷を前記印刷部で開始する。
【０００９】
また請求項９の発明は、キャッシュレジスタと共にプリントシステムを形成するプリンタの制御方法に適用して、前記プリンタは、記録媒体を装着するスロットと、所望の画像を表示する表示部と、ユーザーの操作を入力する入力部と、前記キャッシュレジスタとの間で種々のデータを送受するデータ通信部と、前記スロットに装着された前記記録媒体に記録された静止画像を印刷する印刷部とを備え、前記制御方法は、前記記録媒体に記録された画像を前記表示部で表示し、前記入力部により印刷対象、印刷枚数、印刷サイズの入力を受け付ける入力受け付けのステップと、前記データ通信部を介した前記キャッシュレジスタからの印刷の指示により、前記入力受け付けのステップで入力を受け付けた印刷対象、印刷枚数、印刷サイズによる印刷を前記印刷部で実行する印刷のステップとを有するようにする。
【００１０】
また請求項１０の発明は、キャッシュレジスタと共にプリントシステムを形成するプリンタの制御方法のプログラムに適用して、前記プリンタは、記録媒体を装着するスロットと、所望の画像を表示する表示部と、ユーザーの操作を入力する入力部と、前記キャッシュレジスタとの間で種々のデータを送受するデータ通信部と、前記スロットに装着された前記記録媒体に記録された静止画像を印刷する印刷部とを備え、前記制御方法のプログラムは、前記記録媒体に記録された画像を前記表示部で表示し、前記入力部により印刷対象、印刷枚数、印刷サイズの入力を受け付ける入力受け付けのステップと、前記データ通信部を介した前記キャッシュレジスタからの印刷の指示により、前記入力受け付けのステップで入力を受け付けた印刷対象、印刷枚数、印刷サイズによる印刷を前記印刷部で実行する印刷のステップとを有するようにする。
【００１１】
また請求項１１の発明は、キャッシュレジスタと共にプリントシステムを形成するプリンタの制御方法のプログラムを記録した記録媒体に適用して、前記プリンタは、記録媒体を装着するスロットと、所望の画像を表示する表示部と、ユーザーの操作を入力する入力部と、前記キャッシュレジスタとの間で種々のデータを送受するデータ通信部と、前記スロットに装着された前記記録媒体に記録された静止画像を印刷する印刷部とを備え、前記制御方法のプログラムは、前記記録媒体に記録された画像を前記表示部で表示し、前記入力部により印刷対象、印刷枚数、印刷サイズの入力を受け付ける入力受け付けのステップと、前記データ通信部を介した前記キャッシュレジスタからの印刷の指示により、前記入力受け付けのステップで入力を受け付けた印刷対象、印刷枚数、印刷サイズによる印刷を前記印刷部で実行する印刷のステップとを有するようにする。
【００１２】
また請求項１２の発明は、プリンタと共にプリントシステムを形成するキャッシュレジスタに適用して、前記プリンタの入力部で受け付けた印刷枚数、印刷サイズによる印刷に要する料金を表示する表示部と、店員の操作を入力する入力部と、前記プリンタとの間で種々のデータを送受するデータ通信部とを備え、前記入力部による入力により、前記プリンタで入力を受け付けた印刷枚数、印刷サイズによる印刷に要する料金の精算を受け付け、前記印刷に要する料金が精算されると、前記データ通信部により前記プリンタに前記印刷枚数、印刷サイズによる印刷を指示する。
【００１３】
また請求項１３の発明は、プリンタと共にプリントシステムを形成するキャッシュレジスタの制御方法に適用して、前記キャッシュレジスタは、前記プリンタの入力部で受け付けた印刷枚数、印刷サイズによる印刷に要する料金を表示する表示部と、店員の操作を入力する入力部と、前記プリンタとの間で種々のデータを送受するデータ通信部とを備え、前記制御方法は、前記入力部による入力により、前記プリンタで入力を受け付けた印刷枚数、印刷サイズによる印刷に要する料金の精算を受け付ける精算のステップと、前記精算のステップにより前記印刷に要する料金が精算されると、前記データ通信部により前記プリンタに前記印刷枚数、印刷サイズによる印刷を指示する印刷指示のステップとを有するようにする。
【００１４】
また請求項１４の発明は、プリンタと共にプリントシステムを形成するキャッシュレジスタの制御方法のプログラムに適用して、前記キャッシュレジスタは、前記プリンタの入力部で受け付けた印刷枚数、印刷サイズによる印刷に要する料金を表示する表示部と、店員の操作を入力する入力部と、前記プリンタとの間で種々のデータを送受するデータ通信部とを備え、前記制御方法のプログラムは、前記入力部による入力により、前記プリンタで入力を受け付けた印刷枚数、印刷サイズによる印刷に要する料金の精算を受け付ける精算のステップと、前記精算のステップにより前記印刷に要する料金が精算されると、前記データ通信部により前記プリンタに前記印刷枚数、印刷サイズによる印刷を指示する印刷指示のステップとを有するようにする。
【００１５】
また請求項１５の発明は、プリンタと共にプリントシステムを形成するキャッシュレジスタの制御方法のプログラムを記録した記録媒体に適用して、前記キャッシュレジスタは、前記プリンタの入力部で受け付けた印刷枚数、印刷サイズによる印刷に要する料金を表示する表示部と、店員の操作を入力する入力部と、前記プリンタとの間で種々のデータを送受するデータ通信部とを備え、前記制御方法のプログラムは、前記入力部による入力により、前記プリンタで入力を受け付けた印刷枚数、印刷サイズによる印刷に要する料金の精算を受け付ける精算のステップと、前記精算のステップにより前記印刷に要する料金が精算されると、前記データ通信部により前記プリンタに前記印刷枚数、印刷サイズによる印刷を指示する印刷指示のステップとを有するようにする。
【００１６】
請求項１、請求項８、請求項９、請求項１０、請求項１１、請求項１２、請求項１３、請求項１４、又は請求項１５の構成によれば、キャッシュレジスタで印刷に要する料金を精算して印刷を開始することから、簡易かつ確実に料金を徴収することができる。またキャッシュレジスタで料金を精算することから、ＰＯＳシステムによる管理も容易とすることができ、またプリンタとキャッシュレジスタとをデータ通信可能に接続することにより、簡易にプリントシステムを構成することができる。
【発明の効果】
【００１７】
本発明によれば、従来に比して簡易な構成により、簡易かつ確実に料金を徴収し、かつＰＯＳシステムによる管理の容易なプリントシステムを提供することができる。
【発明を実施するための最良の形態】
【００１８】
以下、適宜図面を参照しながら本発明の実施例を詳述する。
【実施例１】
【００１９】
（１）実施例の構成
図２は、本発明の実施例に係るプリントシステムの構成を示す平面図である。この実施例のプリントシステムは、例えばＤＰＥ店、コンビニエンスストア等の店舗に設けられ、キャッシュレジスタ２とプリンタ３とを有線又は無線によりデータ通信可能に接続して構成される。
【００２０】
ここでプリンタ３は、記録媒体の装着によりこの記録媒体に記録された静止画像をサムネイル画像により一覧表示して印刷対象、印刷枚数、印刷サイズの入力を受け付け、印刷に要する料金を計算する。またキャッシュレジスタ２からの要求により、印刷に要する料金を印刷枚数、印刷サイズ等と共に初期課金情報としてキャッシュレジスタ２に通知する。またキャッシュレジスタ２から印刷を指示するプリント命令が入力されると、受け付けた印刷対象、印刷枚数、印刷サイズにより静止画像を印刷する。また印刷を完了すると、キャッシュレジスタ２からの要求により、実際に印刷に要した料金を実際に印刷した印刷枚数、印刷サイズ等と共に最終課金情報としてキャッシュレジスタ２に通知する。
【００２１】
これに対してキャッシュレジスタ２は、ＰＯＳシステムの一部を構成するレジスタであり、プリンタ３から初期課金情報が通知されると、この初期課金情報による料金等を所定の表示部で表示して店員による精算の操作を受け付ける。また料金の精算が完了すると、プリンタ３にプリント命令を出力する。また最終課金情報を要求してプリンタ３から最終課金情報が入力されると、初期課金情報による料金との差額を計算し、差額が発生している場合には差額を表示して店員による精算の操作を受け付ける。またこの初期課金情報、最終課金情報によるプリンタ３の売り上げの情報を記録して保持し、他の売り上げの情報と共にＰＯＳシステムのサーバーにアップロードする。
【００２２】
図３は、このプリンタ３を示す斜視図である。プリンタ３は、各種メニュー等を表示してユーザーの操作を受け付けるタッチパネル構成の表示部５が上端面に設けられ、また前面に、静止画像を記録した記録媒体であるメモリカードを装着する複数のスロット６が設けられる。またこのスロット６の下に、印刷した静止画像を排出する排出口７が設けられ、この排出口７の下方に、排出された静止画像を受け取るトレイ８が設けられる。
【００２３】
図４は、プリンタ３の構成を示すブロック図である。このプリンタ３において、シリアル通信ドライバ１１は、キャッシュレジスタ２との間で種々のデータＤ１を入出力するデータ通信部を構成する。ＬＣＤドライバ１２は、中央処理ユニット１３の制御により表示部５を構成する液晶表示パネルを駆動し、各種メニュー画面、サムネイル画像等を表示する。タッチパネルドライバ１４は、表示部５に設けられたタッチパネルの操作を検出して中央処理ユニット１３に通知する。これによりこの実施例において、タッチパネルドライバ１４は、表示部５に設けられたタッチパネルと共に、ユーザーの操作を入力する入力部を構成する。
【００２４】
メモリドライバ１５は、このプリンタ３に装着されたメモリカード１６に対応するように、中央処理ユニット１３によりハードディスク装置１７からロードされて実装され、中央処理ユニット１３の制御により、メモリカード１６に記録された静止画像の画像データを読み出して中央処理ユニット１３に出力する。プリンタドライバ１８は、中央処理ユニット１３の制御により印刷部２０の動作を制御し、印刷部２０は、このプリンタドライバ１８の制御により、静止画像を印刷する。
【００２５】
メモリ１９は、中央処理ユニット１３のワークエリアを構成する。ハードディスク装置（ＨＤＤ）１７は、中央処理ユニット１３のプログラム、このプログラムの実行に必要な各種のデータを格納して保持する。この実施例においては、このハードディスク装置に格納するデータに、プリンタ３で印刷する各印刷サイズの単価、空き時間に表示部５で表示するコマーシャルの画像データが割り当てられる。
【００２６】
中央処理ユニット１３は、ハードディスク装置１７に格納されたプログラムを実行することにより、このプリンタ３の動作を制御するコントローラである。なおこの実施例において、この中央処理ユニット１３のプログラムは、このプリンタ３に事前にインストールされて提供されるものの、これに代えてメモリカード１６、光ディスク、磁気ディスク等の記録媒体に記録して提供するようにしてもよく、またインターネット等のネットワークを介したダウンロードにより提供してもよい。
【００２７】
図５は、キャッシュレジスタ２の構成を示すブロック図である。このキャッシュレジスタ２において、シリアル通信ドライバ２１は、プリンタ３との間で種々のデータＤ１を入出力し、これによりプリンタとの間で種々のデータを送受するデータ通信部を構成する。表示部２２は、液晶表示パネルの表示面にタッチパネルを配置して構成され、中央処理ユニット２３の制御により購入商品名、購入金額等を表示する。ＬＣＤドライバ２４は、中央処理ユニット２３の制御により表示部２２を駆動し、タッチパネルドライバ２５は、表示部２２に設けられたタッチパネルの操作を検出して中央処理ユニット２３に通知する。これによりこの実施例において、タッチパネルドライバ２５は、タッチパネルと共に、店員の操作を入力する入力部を構成する。
【００２８】
コントローラ２６は、中央処理ユニット２３の制御により、このキャッシュレジスタ２に装着されたメモリカード２７から各種のデータをロードして中央処理ユニット２３に出力し、また中央処理ユニット２３の制御により、レシート印刷部２８を駆動してレシートを印刷する。
【００２９】
ネットワークコントローラ２９は、中央処理ユニット２３の制御によりネットワークに接続されたＰＯＳサーバー３０にＰＯＳシステムの処理に係る売り上げ等の各種のデータをアップロードし、またこれとは逆に、キャッシュレジスタ２における各種の処理に必要なデータをＰＯＳサーバー３０よりダウンロードして中央処理ユニット２３に出力する。
【００３０】
メモリ３１は、中央処理ユニット２３のワークエリアを構成する。ハードディスク装置（ＨＤＤ）３２は、中央処理ユニット２３のプログラム、このプログラムの実行に必要な各種のデータを格納して保持する。
【００３１】
中央処理ユニット２３は、ハードディスク装置３２に格納されたプログラムを実行することにより、このキャッシュレジスタ２の動作を制御するコントローラである。なおこの実施例において、この中央処理ユニット２３のプログラムは、このキャッシュレジスタ２に事前にインストールされて提供されるものの、これに代えてメモリカード２７、光ディスク、磁気ディスク等の記録媒体に記録して提供するようにしてもよく、またネットワークコントローラ２９を介したダウンロードにより提供するようにしてもよい。中央処理ユニット２３は、このプログラムの実行により、店員の操作に応動してレジスタとして機能するように各部の動作を制御する。
【００３２】
図１は、このプリントシステムの構成に係るプリンタ３、キャッシュレジスタ２の中央処理ユニット１３、２３の処理手順を示すフローチャートである。プリンタ３の中央処理ユニット１３は、電源が立ち上げられると、ハードディスク装置１７に格納された画像データを表示部５で表示し、これによりこのプリンタ３で提供するサービス等のコマーシャルを表示する。
【００３３】
中央処理ユニット１３は、この状態でユーザーによるタッチパネルの操作が検出されると、この処理手順を開始してステップＳＰ１−１からステップＳＰ１−２に移り、表示部５に初期画面を表示する。ここで初期画面は、図６に示すように、最上段にユーザーの操作を促す「メモリカードを挿入して下さい。」とのメッセージが表示される。また最下段に、トップメニューに戻るボタンが表示される。また中央に、プリンタ３のスロット６にメモリカード１６を装着する際の画像が表示される。
【００３４】
中央処理ユニット１３は、この初期画面を表示した後、続くステップＳＰ１−３において、スロット６に設けられたコネクタによりメモリカード１６の装着が検出されると、対応するメモリドライバ１５をハードディスク装置１７からロードして実装する。また続くステップＳＰ１−４において、表示部５の表示を注文内容設定画面の表示に切り換える。ここで注文内容設定画面は、図７に示すように、メモリカード１６に記録された静止画像をサムネイル画像により一覧表示して、印刷対象、印刷枚数、印刷サイズの設定を受け付ける画面である。
【００３５】
中央処理ユニット１３は、メモリドライバ１５の駆動によりメモリカード１６に記録された静止画像の画像データを順次読み出してサムネイル画像の画像データを生成し、このサムネイル画像の画像データによりＬＣＤドライバ１２を駆動して一覧表示を形成する。中央処理ユニット２３は、タッチパネルの操作により、何れかのサムネイル画像をユーザーが選択すると、選択されたサムネイル画像のフレームを強調して表示し、さらにこのサムネイル画像を拡大した画像を拡大画像の表示領域ＡＲ１で表示する。またこの状態で、ユーザーが表示切り換えのボタンＢＡを操作すると、図８に示すように、表示領域ＡＲ１で表示した画像を全画面で表示するように、全体の表示を切り換える。
【００３６】
中央処理ユニット１３は、この図７及び図８の画面において、また印刷サイズ、印刷の枚数の設定を受け付けるボタンＢ１、Ｂ２、一覧表示のスクロールを指示するボタンＢ３、Ｂ４、編集処理、日付の設定、印刷の指示等のボタンＢ５、Ｂ６、Ｂ７を表示する。なおここで編集処理は、印刷対象のトリミング処理等である。
【００３７】
中央処理ユニット１３は、続くステップＳＰ１−５において、この注文内容設定画面により、印刷サイズのボタンＢ１、印刷枚数のボタンＢ２等の操作を検出し、これらボタンＢ１、Ｂ２の操作に応動して、その時点で選択されているサムネイル画像の原画像を印刷対象に設定し、さらには印刷枚数、印刷サイズの設定を受け付ける。またユーザーが印刷のボタンＢ７を操作すると、ステップＳＰ１−５からステップＳＰ１−６に移り、表示部５の表示を確認画面に切り換える。ここで確認画面は、図９に示すように、ユーザーの選択した条件による印刷の料金を、印刷サイズ、枚数と共に表示してユーザーの確認を促す画面である。中央処理ユニット１３は、ハードディスク装置１７に記録された単価を用いて印刷に要する料金を計算し、この確認画面を表示する。中央処理ユニット１３は、この確認画面に設けられた「戻る」のボタンをユーザーが選択すると、ステップＳＰ１−６からステップＳＰ１−５に戻り、印刷対象等の変更を受け付ける。
【００３８】
これに対してこの確認画面において、ユーザーが「ＯＫ」のボタンを操作すると、ステップＳＰ１−６からステップＳＰ１−７に移り、表示部５の表示を精算を促す表示（精算催促画面表示）に切り換える。ここでこの精算を促す表示は、図１０に示すように、最上段にユーザーに精算を促す「レジで料金を精算してください。」とのメッセージが表示される。また確認画面で表示した内容が併せて表示される。
【００３９】
これによりユーザーがキャッシュレジスタ２において店員に料金の支払いを申し出て、店員がキャッシュレジスタ２のメニューからプリンタ３のメニューを選択すると、キャッシュレジスタ２の中央処理ユニット２３は、ステップＳＰ２−１からステップＳＰ２−２に移り、シリアル通信ドライバ２１を介してプリンタ３に初期課金情報要求を送出する。
【００４０】
プリンタ３の中央処理ユニット１３は、この初期課金情報要求により、ステップＳＰ１−７からステップＳＰ１−８に移り、確認画面で表示した内容による初期課金情報をキャッシュレジスタ２に送出する。なお初期課金情報は、例えば先頭１バイトに、初期課金情報と後述する最終課金情報とを識別する識別コードが割り当てられ、続く４バイトに印刷サイズが割り当てられる。また続く３バイトに当該印刷サイズにおける印刷枚数が割り当てられ、続く５バイトに当該印刷サイズの単価が割り当てられる。また続く８バイトに小計の料金が割り当てられ、最後の１５バイトに商品コードが割り当てられる。
【００４１】
キャッシュレジスタ２の中央処理ユニット２３は、この初期課金情報の受信により、ステップＳＰ２−２からステップＳＰ２−３に移り、図１１に示すように、この初期課金情報による内容を表示部２２で表示する。なおこの図１１では、プリンタ３による写真の印刷であることを特定する商品コード「０２１」に続いて、印刷サイズ、印刷枚数、各印刷サイズの単価、各印刷サイズの小計の金額、合計金額が表示される。
【００４２】
キャッシュレジスタ２の中央処理ユニット２３は、ユーザーにより料金が支払われ、店員による料金の精算に関する一連の操作が完了すると、ステップＳＰ２−３からステップＳＰ２−４に移り、プリンタ３にプリント命令を送信する。このプリント命令によりプリンタ３の中央処理ユニット１３は、ステップＳＰ１−９に移り、ユーザーにより設定された条件により印刷を開始する。このとき中央処理ユニット１３は、図１２に示すように、印刷中であることを示す表示、確認画面で表示した内容を表示部５で表示する。
【００４３】
また中央処理ユニット１３は、続いて図１３に示すように、ステップＳＰ１−９からステップＳＰ１−１０に移り、ユーザーにより設定された条件による印刷を終了する。また印刷の際に、例えば紙詰まり等による異常が発生すると、直に印刷を終了する。
【００４４】
続いて中央処理ユニット１３は、続くステップＳＰ１−１１において、正常に印刷を終了できたか否か判断する。ここで正常に印刷を終了できた場合、中央処理ユニット１３は、ステップＳＰ１−１１からステップＳＰ１−１２に移り、この処理手順を終了する。
【００４５】
これに対して例えば紙詰まり等による異常により印刷を終了した場合、中央処理ユニット１３は、ステップＳＰ１−１１からステップＳＰ１−１３に移り、異常の発生をユーザーに通知する表示を表示部５に表示する。ここでこの表示では、図１４に示すように、最上段にユーザーに異常の発生を通知し、対応策を指示する「異常が発生しました。係員にお知らせください。」とのメッセージが表示され、また確認画面で表示した内容が併せて表示される。
【００４６】
この表示部５の表示により、ユーザーが店員に異常を通知し、店員によりキャッシュレジスタ２で所定の操作が実行されると、キャッシュレジスタ２の中央処理ユニット２３は、ステップＳＰ２−５においてプリンタ３に最終課金情報の送出を要求する。プリンタ３の中央処理ユニット１３は、この最終課金情報の送出要求により、ステップＳＰ１−１４において、実際に印刷した印刷枚数、印刷サイズ、料金による最終課金情報をキャッシュレジスタ２に通知した後、ステップＳＰ１−１２に移ってこの処理手順を終了する。
【００４７】
これに対してキャッシュレジスタ２の中央処理ユニット２３は、最終課金情報を受信すると、ステップＳＰ２−５からステップＳＰ２−６に移り、図１１について上述した初期課金情報による表示と同様にして、受信した最終課金情報による料金、印刷サイズ、印刷枚数を表示部２２で表示した後、店員による確認の操作によりステップＳＰ２−７に移ってこの処理手順を終了する。このとき中央処理ユニット２３は、受信した対応する初期課金情報による料金と、この最終課金情報による料金との間の差額を計算し、この差額の金額を併せて表示し、差額が発生している場合には、店員による差額の精算を指示する。またこの場合、店員の操作により差額が精算されると、ステップＳＰ２−７に移ってこの処理手順を終了する。
【００４８】
キャッシュレジスタ２の中央処理ユニット２３は、さらにプリンタ３から通知された初期課金情報、最終課金情報をプリンタ３の売り上げの情報として、他の商品の売り上げの情報と共にハードディスク装置３２に記録して保持し、ＰＯＳサーバー３０からの要求等により、この保持した売り上げの情報をＰＯＳサーバー３０にアップロードする。
【００４９】
またキャッシュレジスタ２の中央処理ユニット２３は、店員による操作によりプリンタ３の設定変更が指示されると、プリンタ３にアップロード命令を送出した後、メモリカード２７に記録されたデータを読み出してプリンタ３に出力する。プリンタ３の中央処理ユニット１３は、このキャッシュレジスタ２からのアップロード命令により、キャッシュレジスタ２から順次入力されるデータをハードディスク装置１７に格納する。これによりこのプリントシステム１では、ハードディスク装置１７に記録された各印刷サイズの単価を変更し、さらには表示部５で表示するコマーシャルを変更する。なおこのコマーシャルの変更等に要するデータは、メモリカード２７に代えて、ＰＯＳサーバー３０側から提供するようにしてもよい。
【００５０】
（２）実施例の動作
以上の構成において、このプリントシステム１では（図２〜図４）、プリンタ３の表示部５に設けられたタッチパネルをユーザーが操作すると、この表示部５の表示が切り換えられ（図６）、この表示部５の表示に従ってメモリカード１６をプリンタ３のスロット６に挿入すると、このメモリカード１６に記録された静止画像がサムネイル画像により一覧表示される（図７）。このプリントシステム１では、この一覧表示において、印刷対象、印刷サイズ、印刷枚数の入力が受け付けられ、印刷に要する金額が計算されて表示される（図９）。
【００５１】
このプリントシステム１では、店員によるキャッシュレジスタ２の操作により、キャッシュレジスタ２からプリンタ３に印刷の指示が入力され、この指示によりユーザーにより入力された印刷対象、印刷サイズ、印刷枚数による印刷が開始する。これによりこのプリントシステム１では、従来に比して簡易な構成により、簡易かつ確実に料金を徴収し、かつＰＯＳシステムによる管理を容易とすることができる。
【００５２】
すなわちこのプリントシステム１では、プリンタ３に料金を精算する構成を設ける必要が無いことにより、また従来のレジによる先払い、後払い方式のような印刷に要する料金、印刷に要した料金を印刷する構成を設ける必要が無いことにより、従来に比して構成を簡略化することができる。またプリンタ３に料金を精算する構成を設ける必要が無いことにより、装置内に金銭が保持される状況を有効に回避することができる。
【００５３】
またキャッシュレジスタ２から印刷の指示により印刷を開始することにより、料金の徴収もれを防止することができ、さらにキャッシュレジスタ２を介してＰＯＳシステムによる管理を容易とすることができる。
【００５４】
より具体的に、このプリントシステム１では、プリンタ３において、印刷サイズ、印刷枚数、印刷に要する金額、精算を促すメッセージが表示され、これら印刷サイズ、印刷枚数、印刷に要する金額の情報がキャッシュレジスタ２に通知され、この金額の精算がキャッシュレジスタ２で完了すると、キャッシュレジスタ２より印刷が指示される。これにより確実に料金を徴収して印刷することができ、料金の徴収もれを防止することができる。また印刷に要する金額と共に、印刷サイズ、印刷枚数をキャッシュレジスタ２で把握できることにより、ＰＯＳシステムによる管理を容易とすることができる。
【００５５】
これによりこのプリントシステム１では、このような印刷に要する金額、印刷サイズ、印刷枚数の情報がキャッシュレジスタ２に記録されてＰＯＳサーバー３０にアップロードされ（図５）、ＰＯＳサーバーにより店舗全体の売り上げを容易に管理することができる。
【００５６】
またプリンタ３では、印刷の指示により印刷を開始して、実際に印刷した印刷サイズ、印刷枚数、印刷に要した料金を計算してキャッシュレジスタ２に通知し、キャッシュレジスタ２では、この通知による印刷に要した料金と、印刷開始前に通知された印刷に要する料金との差額を計算し、差額が発生している場合には、店員による精算の処理を受け付ける。これによりこのプリントシステム１では、例えば異常の発生により途中で印刷を終了した場合等において、支払い過ぎた料金を確実に返金することができる。
【００５７】
またこの実際に印刷した印刷サイズ、印刷枚数、印刷に要した料金の情報もＰＯＳサーバー３０にアップロードされ、これによってもＰＯＳサーバーにより店舗全体の売り上げを容易に管理することができる。またこの実際に印刷した印刷枚数等の情報と、ユーザーにより入力された印刷枚数等の情報との比較により、店舗に配置したプリンタ３の故障等をＰＯＳサーバー側で把握することができ、さらにはインク、用紙等の消耗品の減少をＰＯＳサーバー側で把握することができ、これによりプリントシステム１の保守管理を率良く実行することができる。
【００５８】
またプリンタ３における各印刷サイズの単価のデータ、プリンタ３で表示するコマーシャルのデータにあっては、キャッシュレジスタ２を介してプリンタ３にアップロードされ、これによりＰＯＳシステムにおける商品管理と連動させて印刷の単価を変更することができ、また単価等の変更に要する作業を簡略化することができる。
【００５９】
（３）実施例の効果
以上の構成によれば、プリンタで印刷の内容を受け付け、キャッシュレジスタからの印刷開始の指示により、印刷を実行することにより、従来に比して簡易な構成により、簡易かつ確実に料金を徴収し、かつＰＯＳシステムによる管理を容易とすることができる。
【００６０】
またプリンタにおいて、印刷に要する料金を計算して表示すると共に、印刷枚数、印刷サイズ、印刷に要する料金をキャッシュレジスタに通知することにより、またキャッシュレジスタにおいては、この通知された印刷枚数、印刷サイズ、印刷に要する料金を表示することにより、キャッシュレジスタにおける料金の精算を確実に実行して確実に料金を徴収することができる。
【００６１】
またプリンタから通知された印刷枚数、印刷サイズ、印刷に要する料金を、キャッシュレジスタよりＰＯＳサーバーに通知することにより、ＰＯＳサーバーにより店舗全体の売り上げを容易に管理することができる。
【００６２】
またプリンタにおいて、印刷に要した料金を計算してキャッシュレジスタに通知することにより、またキャッシュレジスタにおいて、この通知により差額が発生している場合には、差額の精算を受け付けることにより、例えば異常の発生により途中で印刷を終了した場合等において、支払い過ぎた料金を確実に返金することができる。
【００６３】
またこの印刷部で印刷した印刷枚数、印刷サイズ、印刷に要した料金をＰＯＳサーバーに通知することにより、ＰＯＳサーバーにより店舗全体の売り上げを容易に管理することができる。
【００６４】
またキャッシュレジスタを介して、プリンタにおける単価を変更することにより、単価の変更に要する作業を簡略化することができる。
【実施例２】
【００６５】
図１５は、本発明の実施例２のプリントシステムの処理手順を示すフローチャートである。この実施例のプリントシステムは、プリンタの中央処理ユニットとキャッシュレジスタの中央処理ユニットとが、図１３の処理手順の代えてこの図１５の処理手順を実行する点を除いて、上述の実施例１のプリントシステム１と同一に構成される。
【００６６】
すなわちこのプリントシステムにおいて、プリンタの中央処理ユニットは、実施例１と同様にして印刷対象、印刷サイズ、印刷枚数の設定を受け付けた後、キャッシュレジスタからの指示により印刷を開始する。またその後、この図１５のステップＳＰ１−１１に移り、紙詰まり等の異常が発生したか否か判断し、何ら異常が発生しない場合には、ステップＳＰ１−１２に移ってこの処理手順を終了して印刷を終了する。
【００６７】
これに対して紙詰まり等の異常が発生すると、ステップＳＰ１−１１からステップＳＰ１−１１−１に移り、キャッシュレジスタに異常の発生を通知した後、ステップＳＰ１−１１−２に移って印刷を終了する。これに対してキャッシュレジスタの中央処理ユニットは、プリンタからの異常発生の通知により、ステップＳＰ２−５−１において、例えば図１６に示すように、精算時の表示と共に所定のメッセージを表示し、異常の発生を店員に通知する。また続くステップＳＰ２−５において、店員の操作によりプリンタに最終課金情報の送出を要求する。プリンタの中央処理ユニットは、ステップＳＰ１−１４において、この最終課金情報の送出要求により、実際に印刷した印刷枚数、印刷サイズ、料金による最終課金情報をキャッシュレジスタに通知した後、ステップＳＰ１−１２に移ってこの処理手順を終了する。
【００６８】
これに対してキャッシュレジスタの中央処理ユニットは、最終課金情報を受信すると、ステップＳＰ２−５からステップＳＰ２−６に移り、図１１について上述した初期課金情報による表示と同様にして、受信した最終課金情報による料金、印刷サイズ、印刷枚数を表示部で表示した後、ユーザーによる確認の操作によりステップＳＰ２−７に移ってこの処理手順を終了する。このとき、中央処理ユニットは、受信した対応する初期課金情報による料金と、この最終課金情報による料金との間の差額を計算し、この差額の金額を併せて表示し、差額が発生している場合には、店員による差額の精算を指示する。またこの場合、店員の操作により差額が精算されると、ステップＳＰ２−７に移ってこの処理手順を終了する。
【００６９】
この実施例のように、異常の発生をプリンタからキャッシュレジスタに自動的に通知するようにしても、実施例１と同様の効果を得ることができる。
【実施例３】
【００７０】
なお上述の実施例においては、プリンタに一体に印刷対象、印刷枚数、印刷サイズの選択機構等を設ける場合について述べたが、本発明はこれに限らず、これらの機構を別体に設けるようにしてもよい。
【産業上の利用可能性】
【００７１】
本発明は、例えばコンビニエンスストアにおけるプリントシステムに適用することができる。
【図面の簡単な説明】
【００７２】
【図１】本発明の実施例１のプリントシステムにおける処理手順を示すフローチャートである。
【図２】本発明の実施例１のプリントシステムを示す平面図である。
【図３】図２のプリントシステムのプリンタを示す斜視図である。
【図４】図３のプリンタのブロック図である。
【図５】図２のプリントシステムのキャッシュレジスタのブロック図である。
【図６】図３のプリンタの初期画面を示す平面図である。
【図７】図３のプリンタの注文内容設定画面を示す平面図である。
【図８】図３のプリンタの詳細な内容確認用の表示を示す平面図である。
【図９】図３のプリンタの確認画面を示す平面図である。
【図１０】図３のプリンタの精算催促画面を示す平面図である。
【図１１】図５のキャッシュレジスタの精算用の画面を示す平面図である。
【図１２】図３のプリンタの印刷中の表示を示す平面図である。
【図１３】図１の続きの処理手順を示すフローチャートである。
【図１４】図３のプリンタの異常発生時の表示を示す平面図である。
【図１５】本発明の実施例２のプリントシステムにおける処理手順を示すフローチャートである。
【図１６】図１５の処理手順による異常発生時の表示を示す平面図である。
【符号の説明】
【００７３】
１……プリントシステム、２……キャッシュレジスタ、３……プリンタ、５、２２……表示部、１３、２３……中央処理ユニット、１９……印刷部
【図１】
2008262252.tif 000003
【図２】
2008262252.tif 000004
【図３】
2008262252.tif 000005
【図４】
2008262252.tif 000006
【図５】
2008262252.tif 000007
【図６】
2008262252.tif 000008
【図７】
2008262252.tif 000009
【図８】
2008262252.tif 000010
【図９】
2008262252.tif 000011
【図１０】
2008262252.tif 000012
【図１１】
2008262252.tif 000013
【図１２】
2008262252.tif 000014
【図１３】
2008262252.tif 000015
【図１４】
2008262252.tif 000016
【図１５】
2008262252.tif 000017
【図１６】
2008262252.tif 000018